(57)【要約】【課題】出荷後のディスクの管理や、ディスクを用いた多機能なサービスの展開ができるようにする。【解決手段】複数のディスクの中から、自己を一意に特定可能な情報をＱＲコード化した結果得られる個別ＱＲコード２１と、それに対応するテキストデータ２２とからなる個別情報１２がディスク１１のレーベル面に印刷されている。ディスク１１には、ユニークなＩＤを含むＰＩＤデータがさらに記録されており、ＰＩＤデータと個別ＱＲコード２１は紐付けられている。本発明は、ディスク装置に適用できる。【選択図】図１
2009289358.tif 000002
【特許請求の範囲】
【請求項１】
複数のディスクの中から自己を一意に特定可能な情報をＱＲコード化した結果得られる個別ＱＲコードが、所定の面上に印刷されている
ディスク。
【請求項２】
前記ディスクのユニークなＩＤを含むＩＤ情報がさらに記録されており、
前記個別ＱＲコードと、前記ＩＤ情報とが紐付けられている
請求項１に記載のディスク。
【請求項３】
サービス提供者による所定サービスの提供の用に供する情報であって、複数のディスクの中から自己を一意に特定可能な情報をＱＲコード化した結果得られる個別ＱＲコードが、所定の面上に印刷されているディスクの提供を受けたユーザにより管理される第１の情報処理装置が、
前記個別ＱＲコードに対応する前記情報を読み出し、前記サービス提供者が管理する第２の情報処理装置に送信し、
前記第２の情報処理装置が、
前記情報を受信し、前記情報に基づいて、前記ディスクを保有している前記ユーザに対する前記所定サービスの提供の用に供する所定処理を実行する
情報処理システム。
【請求項４】
前記所定サービスは、会員登録をした者にのみ提供され、
前個別ＱＲコードに対応する前記情報には、前記会員登録をした者を一意に特定可能な登録コードが含まれており、
前記第１の情報処理装置は、
前記登録コードを読み出し、前記第２の情報処理装置に送信し、
前記第２の情報処理装置は、
前記登録コードを受信し、前記登録コードに基づいて前記ユーザが会員登録をしているか否かを判断し、
会員登録をしていないと判断した場合、前記ユーザを会員登録するための処理を実行し、
会員登録をしていると判断した場合、前記所定サービスの提供を可能にするための処理を実行する
請求項３に記載の情報処理システム。
【請求項５】
前記ディスクのユニークなＩＤであって前記会員コードを特定可能なＩＤ情報がさらに記録され、前記個別ＱＲコードと、前記ＩＤ情報とが紐付けられており、
前記ユーザは、さらに、前記ディスクを装着可能な第３の情報処理装置を管理しており、
前記第３の情報処理装置は、
装着された前記ディスクから、前記登録コードを読み出し、前記第２の情報処理装置に送信し、
前記第２の情報処理装置は、
前記登録コードを受信し、前記登録コードに基づいて前記ユーザが会員登録をしているか否かを判断し、
会員登録をしていないと判断した場合、前記ユーザを会員登録するための処理を実行し、
会員登録をしていると判断した場合、前記所定サービスの提供を可能にするための処理を実行する
請求項４に記載の情報処理システム。
【請求項６】
前記所定サービスは、前記ディスクを貸与するサービスであり、
前記第２の情報処理装置は、前記ディスクが貸与される場合、前記個別ＱＲコードに対応する前記情報を読み出し、前記情報と、前記ディスクの貸与に関する情報と対応付けて管理し、
前記第１の情報処理装置は、
前記個別ＱＲコードに対応する前記情報を読み出し、その情報と、前記ディスクの貸与についての所定の指示とを、前記第２の情報処理装置に送信し、
前記第２の情報処理装置は、
前記所定の指示と、前記個別ＱＲコードに対応する前記情報を受信し、その情報と対応付けられている、前記ディスクの貸与に関する情報を読み出し、
前記ディスクの貸与に関する情報を用いて、前記所定の指示に従った処理を実行する
請求項３に記載の情報処理システム。
【発明の詳細な説明】
【技術分野】
【０００１】
本発明は、ディスクおよび情報処理システムに関し、特に、出荷後のディスクの管理や、ディスクを用いた多機能なサービスの展開ができるようになった、ディスクおよび情報処理システムに関する。
【背景技術】
【０００２】
従来、ディスクレーベル面にタイトルごとに同一情報を印刷することは行われてきた。ここで、同一情報の形態としては、テキストデータやバーコード等が存在する。
【特許文献１】特開平１１−３５３７１３
【発明の開示】
【発明が解決しようとする課題】
【０００３】
しかしながら、このような同一情報が印刷された複数のディスクが一旦出荷されてしまうと、その後の管理が実質上不可能になる、という問題点があった。
【０００４】
また、近年、ディスクを用いた各種サービスの提供といったビジネスモデルの実現化が要望されているが、このような同一情報が印刷された複数のディスクを採用した場合、かかる要望に十分に応えられない、という問題点もあった。
【０００５】
本発明は、このような状況に鑑みてなされたものであり、出荷後のディスクの管理や、ディスクを用いた多機能なサービスの展開ができるようにするものである。
【課題を解決するための手段】
【０００６】
本発明の一側面のディスクは、複数のディスクの中から自己を一意に特定可能な情報をＱＲコード化した結果得られる個別ＱＲコードが、所定の面上に印刷されている。
【０００７】
前記ディスクのユニークなＩＤを含むＩＤ情報がさらに記録されており、前記個別ＱＲコードと、前記ＩＤ情報とが紐付けられている。
【０００８】
本発明の一側面のディスクにおいては、複数のディスクの中から自己を一意に特定可能な情報をＱＲコード化した結果得られる個別ＱＲコードが、所定の面上に印刷されている。
【０００９】
本発明の一側面の情報処理システムは、サービス提供者による所定サービスの提供の用に供する情報であって、複数のディスクの中から自己を一意に特定可能な情報をＱＲコード化した結果得られる個別ＱＲコードが、所定の面上に印刷されているディスクの提供を受けたユーザにより管理される第１の情報処理装置が、前記個別ＱＲコードに対応する前記情報を読み出し、前記サービス提供者が管理する第２の情報処理装置に送信し、前記第２の情報処理装置が、前記情報を受信し、前記情報に基づいて、前記ディスクを保有している前記ユーザに対する前記所定サービスの提供の用に供する所定処理を実行する。
【００１０】
前記所定サービスは、会員登録をした者にのみ提供され、前個別ＱＲコードに対応する前記情報には、前記会員登録をした者を一意に特定可能な登録コードが含まれており、前記第１の情報処理装置は、前記登録コードを読み出し、前記第２の情報処理装置に送信し、前記第２の情報処理装置は、前記登録コードを受信し、前記登録コードに基づいて前記ユーザが会員登録をしているか否かを判断し、会員登録をしていないと判断した場合、前記ユーザを会員登録するための処理を実行し、会員登録をしていると判断した場合、前記所定サービスの提供を可能にするための処理を実行する。
【００１１】
前記ディスクのユニークなＩＤであって前記会員コードを特定可能なＩＤ情報がさらに記録され、前記個別ＱＲコードと、前記ＩＤ情報とが紐付けられており、前記ユーザは、さらに、前記ディスクを装着可能な第３の情報処理装置を管理しており、前記第３の情報処理装置は、装着された前記ディスクから、前記登録コードを読み出し、前記第２の情報処理装置に送信し、前記第２の情報処理装置は、前記登録コードを受信し、前記登録コードに基づいて前記ユーザが会員登録をしているか否かを判断し、会員登録をしていないと判断した場合、前記ユーザを会員登録するための処理を実行し、会員登録をしていると判断した場合、前記所定サービスの提供を可能にするための処理を実行する。
【００１２】
前記所定サービスは、前記ディスクを貸与するサービスであり、前記第２の情報処理装置は、前記ディスクが貸与される場合、前記個別ＱＲコードに対応する前記情報を読み出し、前記情報と、前記ディスクの貸与に関する情報と対応付けて管理し、前記第１の情報処理装置は、前記個別ＱＲコードに対応する前記情報を読み出し、その情報と、前記ディスクの貸与についての所定の指示とを、前記第２の情報処理装置に送信し、前記第２の情報処理装置は、前記所定の指示と、前記個別ＱＲコードに対応する前記情報を受信し、その情報と対応付けられている、前記ディスクの貸与に関する情報を読み出し、前記ディスクの貸与に関する情報を用いて、前記所定の指示に従った処理を実行する。
【００１３】
本発明の一側面の情報処理システムにおいては、サービス提供者による所定サービスの提供の用に供する情報であって、複数のディスクの中から自己を一意に特定可能な情報をＱＲコード化した結果得られる個別ＱＲコードが、所定の面上に印刷されているディスクの提供を受けたユーザにより管理される第１の情報処理装置によって、前記個別ＱＲコードに対応する前記情報が読み出され、前記サービス提供者が管理する第２の情報処理装置に送信される。前記第２の情報処理装置によって、前記情報が受信され、前記情報に基づいて、前記ディスクを保有している前記ユーザに対する前記所定サービスの提供の用に供する所定処理が実行される。
【発明の効果】
【００１４】
本発明の一側面によれば、出荷後のディスクの管理や、ディスクを用いた多機能なサービスの展開ができるようになる。
【発明を実施するための最良の形態】
【００１５】
以下、図面を参照して、本発明の実施の形態について説明する。
【００１６】
図１は、本発明が適用されるディスクの外観の構成例を示している。即ち、図１のＡは、ディスク１１のレーベル面全体を上から見た場合の外観の構成例を示している。図１のＢは、図１のＡの拡大図である。図１のＣは、後述する個別情報１２の印刷位置および大きさを規定する各値の例を示している。
【００１７】
図１のＡとＢに示されるように、ディスク１１のレーベル面には、個別ＱＲコード２１と、それに対応するテキストデータ２２とからなる情報１２（以下、かかる情報１２を、個別情報１２と称する）が印刷されている。
【００１８】
本実施の形態では、個別情報１２のディスクレーベル１１への印刷範囲や印刷位置は、図１のＢで示される値a乃至dが図１のＣで規定されている範囲内に収まるように、かつ、図１の値Ｌ，Ｈ，Ｗが図１のＣで規定されている長さとなるように規定されている。
【００１９】
ただし、個別情報１２のディスクレーベル１１への印刷範囲や印刷位置は、図１の例に特に限定されず任意でよい。
【００２０】
ここで、注目すべき点は、個別ＱＲコード２１は、ＱＲコードの前に「個別」という語句が付加された呼称の仕方からわかるように、ディスク１１専用の固有情報となっている点である。即ち、ディスク１１が複数存在する場合、一枚一枚のディスク１１に対して、ユニークな情報としての個別ＱＲコード２１を印刷することが出来る点である。かかる点により、［発明が解決しようとする課題］の欄で上述した問題点を解決できるようになる。即ち、ディスク１１は個別ＱＲコード２１が印刷されているので、出荷後の管理が容易になる。また、図７以降の図面を参照して後述するように、個別ＱＲコード２１が印刷されたディスク１１を用いることで、多機能なサービスの展開ができるようになる。
【００２１】
さらに、個別ＱＲコード２１がレーベル面に印刷されたディスク１１を採用することで、各種各様の効果を奏することが可能になる。ただし、これらの効果については後述する。
【００２２】
さらにまた、本実施の形態では、個別ＱＲコード２１のみならず、それに対応するテキストデータ２２もディスク１１のレーベル面に印刷されている。よって、ユーザは、携帯機器等を用いて個別ＱＲコード２１を解読せずとも、テキストデータ２２を視認するだけで、ディスク１１を、他のディスクと明確に区別できるようになる。即ち、ユーザは、テキストデータ２２を用いても、ディスク１１の管理を行うことができるようになる。
【００２３】
ここで、ディスクへの個別情報の付加という観点で考える。この観点でいえば、PostscribedID（ソニー株式会社の登録商標。）という技術が従来存在する。PostscribedID（以下、ＰＩＤと称する）とは、大量生産されたディスク１枚ごとにディスク製造工場で、個別情報を記録することができる技術をいう。ＰＩＤは、高出力半導体レーザとレーザ加工を対応可能な特殊反射膜を採用することで実現される技術である。
【００２４】
ＰＩＤの大きな特長として、次の３つの特長が存在する。
【００２５】
即ち、第１の特長は、ディスク一枚ごとに個別情報、例えばＩＤデータを追記することができることである。この第１の特長により、例えばシリアルナンバーや発注者が自由定義したデータをディスクに追記することが可能になる。
【００２６】
第２の特長は、ＣＤ−ＲＯＭ規格（Compact Disk-Read Only Memory：イエローブック、モード２フォーム２）およびＤＶＤ−ＲＯＭ規格（DVD(Digital Versatile Disk) Specification for Read Only Disc）に準拠していることである。
【００２７】
第３の特長は、市販されているＣＤ/ＤＶＤ-ＲＯＭ対応ドライブで、第１の特長によりディスクに追記されたＩＤデータの読み出しができることである。
【００２８】
このような第１乃至第３の特長を有するＰＩＤを用いることにより、ディスク一枚一枚に対してユニークな情報を印刷することが実現される。
【００２９】
従って、このようなＰＩＤにより提供されるデータ（以下、ＰＩＤデータと称する）と個別ＱＲコード２１とを紐づけ、その個別ＱＲコード２１をディスク１１に印刷することも容易に可能になる。即ち、ＰＩＤデータが記録されたディスク１１であって、そのＰＩＤと紐づいた個別ＱＲコード２１がレーベル面に印刷されたディスク１１を容易に具現化することができるようになる。かかるディスク１１を採用することで、上述した各種各様な効果はより顕著なものとなる。なお、これらの効果の具体例については後述する。
【００３０】
なお、ＰＩＤと個別ＱＲコード２１との紐づけの手法自体は、特に限定されない。例えば本実施の形態では、次の図２と図３とで示される構成のＰＩＤデータおよびＱＲデータを用いることで、ＰＩＤと個別ＱＲコード２１とが紐付けられている。
【００３１】
即ち、図２は、個別ＱＲコード２１と紐付いたＰＩＤデータのフォーマットの一例を示している。
【００３２】
図２の例では、ＰＩＤデータは、カスタムタイムのデータ（Custom Format Data）として構成されている。
【００３３】
即ち、ＰＩＤデータのフォーマットとして、ベーシックタイプ、スタンダードタイプおよびカスタムタイプの３つのタイプのフォーマットが存在する。
【００３４】
ベーシックタイプとは、タイトルごとにシリアルナンバーを自動追記するタイプのフォーマットである。ベーシックタイプのＰＩＤデータは、２バイトのリザーブ、および４バイトのシリアルナンバーの合計６バイトで構成される。ここで、シリアルナンバーは、約４３億個の番号からなる。ベーシックタイプは、ＣＤのみに追記することができるフォーマットである。
【００３５】
スタンダードタイプとは、タイトルナンバー、ジェネレーションフラグ、テストフラグおよびシリアルナンバーを追記するタイプのフォーマットである。スタンダードタイプのＰＩＤデータは、４バイトのリザーブ、４バイトのタイトルナンバー、１バイトのジェネレーションフラグ、１バイトのテストフラグ、２バイトのリザーブおよび４バイトのシリアルナンバーの合計１６バイトで構成される。ここで、タイトルナンバーは、タイトル識別のためのユニークナンバーであり、約４３億個のタイトル番号からなる。ジェネレーションフラグはシリアルナンバー毎のジェネレーション識別フラグであり、テストフラグはテストディスク識別フラグである。また、シリアルナンバーは、タイトルナンバー毎のシリアルナンバーで約４３億個の番号からなる。スタンダードタイプは、ＣＤのみに追記することができるフォーマットである。
【００３６】
カスタムタイプとは、発注者が自由定義したデータを追記することができるタイプのフォーマットである。ＰＩＤデータとして、ＣＤに追記する場合は、１６バイトから最大１９２バイトまで１６バイト毎のデータの選択が可能である。また、ＰＩＤデータとして、ＤＶＤに追記する場合は、１６、３２、６４、および５１２バイトの４種類のデータの選択が可能である。
【００３７】
本実施の形態では、これらの３つのフォーマットのうち、カスタムタイプのＰＩＤデータが採用されている。
【００３８】
図２に示すように、ＰＩＤデータは、データ関連情報、ＱＲデータ、およびＣＲＣデータがその順番に並んで構成されている。
【００３９】
データ関連情報とは、ディスク１１に関する固有の情報である。
【００４０】
ＱＲデータとは、ディスク１１に個別情報１２を印刷する元となるデータ（以下、印刷テータと称する）のうちの少なくとも一部により構成されるデータをいう。
【００４１】
印刷データとは、例えば図３に示される構成のデータである。
【００４２】
印刷データは、[First]、[Middle]および[ID_code]と称される各データがその順番で配置されて構成される。[First]には、個別ＱＲコード２１生成用データが記述される。例えば、個別ＱＲコード２１生成用データとして、所定のＵＲＬを採用可能である。具体的には例えば、個別ＱＲコード２１生成用データとして、会員登録した者のみが閲覧可能な会員シークレットサイト（後述する図９参照）のＵＲＬが、［First］に記述される。[Middle]には、個別ＱＲコード２１の下側部分の印刷用テキストデータ２２が記述される。[ID_code]には、ＰＩＤデータとのマッチング用のデータが記述される。ただし、[ID_code]はオプションとされている。
【００４３】
本実施の形態では、この印刷データのうち[Middle]のデータが、ＱＲデータとしてＰＩＤデータに含まれている。
【００４４】
なお、本実施の形態では、印刷データは、秘密保持上、上述した各データそのものから構成されるのではなく、上述した各データがいわゆるアンゲッサブルコード（推測できないコード）に変換されたものとして構成されている。
【００４５】
図２に戻り、ＣＲＣデータとは、巡回冗長検査（ＣＲＣ：Cyclic Redundancy Check）で用いるデータである。
【００４６】
図４は、このような構成のＰＩＤデータが記録されたディスク１１であって、そのＰＩＤと紐づいた個別ＱＲコード２１がレーベル面に印刷されたディスク１１を製造するための製造システムの一構成例を示している。
【００４７】
図４の例の製造システムは、ディスク製造装置３１、ＰＩＤホストコンピュータ３２、ｎ台（ｎは１以上の任意の整数値）のＰＩＤ記録装置３３−１乃至３３−ｎ、印刷用ホストコンピュータ３４、および印刷機３５から構成されている。ここで、ＰＩＤホストコンピュータ３２と印刷用ホストコンピュータ３４は、所定のネットワーク３６によって接続されている。
【００４８】
ＰＩＤホストコンピュータ３２には、ＰＩＤ記録装置３３−１乃至３３−ｎが接続されている。また、印刷用ホストコンピュータ３４には、印刷機３５が接続されている。
【００４９】
ディスク製造装置３１は、ディスク１１を大量に複写する者（以下、複写者と称する）により管理されている。ＰＩＤホストコンピュータ３２、および、ｎ台（ｎは１以上の任意の整数値）のＰＩＤ記録装置３３−１乃至３３−ｎは、ディスク１１にＰＩＤデータを追記する者（以下、ＰＩＤ記録者と称する）により管理されている。印刷用ホストコンピュータ３４および印刷機３５は、個別ＱＲコード２１をディスク１１に印刷する者（以下、ＱＲコード印刷者と称する）により管理されている。なお、複写者、ＰＩＤ記録者、および、ＱＲコード印刷者の三者は、基本的に独立した者である。ここで、独立した者とは、三者が異なる者である場合のみを意味しない。即ち、三者が、全て同一の者である場合もあるし、三者のうちのいずれかの二者が同一である場合もある。
【００５０】
このような構成の製造システムの動作（以下、ディスク製造処理と称する）の一例について、図５のフローチャートを参照して説明する。
【００５１】
ステップＳ１において、ディスク製造装置３１は、複写者の管理の下、ディスク１１を複写する。なお、図４に示されるように、このステップＳ１の処理では、大量のディスク１１が複写されることになる。ただし、ディスク製造処理では、それらの大量のディスク１１のうちの所定の１枚に対する処理として説明していく。
【００５２】
ディスク１１がＰＩＤ記録者に提供されると、ＰＩＤ記録者の管理の下、次のステップＳ２の処理が実行される。
【００５３】
ステップＳ２において、ＰＩＤ記録装置３３−ｋは、ＰＩＤデータ３７をディスク１１に追記する。
【００５４】
ＰＩＤデータ３７が追記されたディスク１１がＱＲコード印刷者に提供されると、ＱＲコード印刷者の管理の下、ステップＳ３において、個別ＱＲコード２１を含む個別情報１２をディスク１１に印刷するまでの一連の処理（以下、ＱＲコード印刷処理と称する）が実行される。
【００５５】
このようにして、ＰＩＤデータ３７が記録されたディスク１１であって、そのＰＩＤデータ３７と紐づいた個別ＱＲコード２１がレーベル面に印刷されたディスク１１が製造されると、ディスク製造処理は終了となる。
【００５６】
ここで、図６のフローチャートを参照して、図５のステップＳ３のＱＲコード印刷処理の詳細例について説明する。
【００５７】
ステップＳ２１において、印刷用ホストコンピュータ３４は、ＰＩＤデータ３７を、ＰＩＤホストコンピュータ３２からネットワーク３６を介して取得する。または、印刷用ホストコンピュータ３４は、ステップＳ２の処理によりＰＩＤデータ３７が追記されたディスク１１から直接、ＰＩＤデータ３７を取得してもよい。
【００５８】
ステップＳ２２において、印刷用ホストコンピュータ３４は、ＰＩＤデータ３７から、印刷データ３９（個別ＱＲコード２１とテキストデータ２２）を生成または取得する。印刷データ３９が、印刷機３５に提供されると、処理はステップＳ２３に進む。ここで、印刷データ３９は、上述した図３の構成のデータである。即ち、［First］のデータが、個別ＱＲコード２１のデータに相当し、［Middle］のデータが、テキストデータ２２に相当する。
【００５９】
ステップＳ２３において、印刷機３５は、ディスク１１がセットされたか否かを判定する。
【００６０】
ディスク１１がセットされるまでの間、ステップＳ２３においてＮＯであると判定されて、処理は再びステップＳ２３に戻される。即ち、ディスク１１がセットされるまでの間、ステップＳ２３の判定処理が繰り返されて、ＱＲコード印刷処理は待機状態になる。
【００６１】
その後、ディスク１１がセットされると、ステップＳ２３においてＹＥＳであると判定されて、処理はステップＳ２４に進む。
【００６２】
ステップＳ２４において、印刷機３５は、印刷対象であるディスク１１の位置を調整する。本実施の形態では、図１のＢ，Ｃに示されるように精度良い位置調整が必要になる。そこで、このような精度良い位置調整を可能にするため、印刷機３５の内部または外部には、ＣＣＤ（Charge Coupled Device）カメラと位置制御装置が設けられている。即ち、印刷機３５は、ＣＣＤカメラと位置制御装置を用いて、ディスク１１の位置決め制御を実行する。
【００６３】
ステップＳ２５において、印刷機３５は、印刷データ３９（個別ＱＲコード２１とテキストデータ２２）をディスク１１のレーベル面に印刷する。なお、より正確には、印刷データ３９そのものがディスク１１のレーベル面に印刷されるのではなく、印刷データ３９に対応する個別情報１２がディスク１１のレーベル面に印刷される。ただし、以下においても、説明の簡略上、印刷データ３９をディスク１１のレーベル面に印刷するという表現を用いることにする。
【００６４】
ステップＳ２６において、印刷機３５は、印刷データのベリファイを行う。
【００６５】
これにより、ＱＲコード印刷処理は終了する。即ち、図５のステップＳ３の処理が終了し、ディスク製造処理全体も終了となる。なお、ディスク製造処理のステップＳ２以降の処理は、ステップＳ１において複写された大量のディスク１１のすべてに対してそれぞれ独自に行われる。即ち、ステップＳ１において複写された大量のディスク１１のそれぞれについて、それぞれ異なる個別情報１２が印刷され、かつ、それぞれ異なるＰＩＤデータ３７が記録されることになる。
【００６６】
以上説明したディスク製造処理により製造されたディスク１１を用いることで、多機能な各種サービスの展開ができるようになる。
【００６７】
ここでは、このような各種サービスのうちの幾つかを提供可能なビジネスモデルの例について説明する。
【００６８】
例えば、図７は、ＱＲコードとＰＩＤを併用したビジネスモデルを実現可能な情報処理システムの一構成例を示している。
【００６９】
図７の例のビジネスモデルでは、サービス提供者Ｓａと、ユーザＵａとが存在する。なお、このビジネスモデルでは、サービス提供者Ｓａ以外のサービス提供者や、ユーザＵａ以外のユーザも登場し得る。
【００７０】
サービス提供者Ｓａは、会員登録した者に対して所定のサービスを提供すべく、サーバ４１を管理している。
【００７１】
ユーザＵａは、据え置き型のパーソナルコンピュータ４２と、携帯端末４３とを管理している。
【００７２】
サーバ４１と、パーソナルコンピュータ４２または携帯端末４３とは、インターネット等の所定のネットワーク４４を介して相互に接続される。
【００７３】
サービス提供者Ｓａは、会員登録および会員自動ログイン用のディスク１１を広く一般に配布している。即ち、サービス提供者Ｓａ自身または他者の管理の下、図５のディスク製造処理が予め実行されて、会員登録および会員ログイン用のディスク１１が予め製造されている。
【００７４】
具体的には例えば、図８の各行（図８の例では１乃至７行）に示されるような印刷データ３９がそれぞれ予め生成されているとする。「First」の項目に示されるデータが、会員登録および会員ログイン専用のサイトのＵＲＬを示している。また、「Middle」の項目に示されるデータが、会員登録コードを示している。なお、この会員登録コードは、「First」の項目に示されるＵＲＬの最下層や、「ID_code」にもそれぞれ示されている。
【００７５】
この場合、図８の各行（図８の例では１乃至７行）のうちの所定の１行に記述された印刷データ３９に対応するＰＩＤデータ３７が、ステップＳ２の処理でディスク１１に追記される。また、図６のステップＳ２２の処理で、ＰＩＤデータ３７から印刷データ３９が生成又は取得され、即ち、会員登録コードが挿入された印刷データ３９が生成または取得され、ステップＳ２５の処理で、この印刷データ３９（それに対応する個別情報１２）が、ディスク１１に印刷される。
【００７６】
ユーザＵａは、この個別情報１２が印刷されたディスク１１、即ち、会員登録および会員ログイン用のディスク１１をサービス提供者Ｓａから受け取ると、パーソナルコンピュータ４２に挿入することができる。
【００７７】
すると、図９に示されるようなオンラインメニュー５１が、パーソナルコンピュータ４２の表示部に表示される。
【００７８】
そこで、ユーザＵａは、パーソナルコンピュータ４２を操作して、オンラインメニュー５１の「シークレットサイトへ」と表示されたソフトウエアボタンを押下する。すると、パーソナルコンピュータ４２は、ステップＳ４１において、ネットワーク４４を介してサービス提供者Ｓａのサーバ４１にアクセスして会員登録を行う。即ち、パーソナルコンピュータ４２は、ユーザＵａの個人情報のうちの会員登録に必要な個人情報と、ディスク１１に記録されているＰＩＤデータとをサーバ４１に送信する。
【００７９】
サーバ４１は、ステップＳ４２において、パーソナルコンピュータ４２からのＰＩＤデータをチェックすることで、ディスク１１を用いるユーザＵａの会員登録があるのか否かを判定する。ここでは、ステップＳ４２の処理で未登録であると判定されて、処理はステップＳ４３に進む。ステップＳ４３において、サーバ４１は、登録データとして、パーソナルコンピュータ４２から送信された情報（ユーザＵａの個人情報のほかに、ディスク１１のＰＩＤデータ）を登録する。ステップＳ４４において、サーバ４１は、会員登録が完了したことの確認を、電子メールとしてネットワーク４４を介してパーソナルコンピュータ４２に送信する。そして、サーバ４１は、会員シークレットサイト５２のＵＲＬへのアクセスを許可する。これにより、パーソナルコンピュータ４２の表示部には、会員シークレットサイト５２が表示される。
【００８０】
これにより、ディスク１１を用いるユーザＵａの会員登録が終了する。
【００８１】
このようにして一度会員登録が行われると、会員登録および会員ログイン用のディスク１１のＰＩＤデータもサーバ４１側に登録される。その結果、サーバ４１は、このＰＩＤデータ（ディスクＩＤ）を物理ＩＤとして認証することができる。よって、次回ログイン時には、パーソナルコンピュータ４２がＰＩＤデータをネットワーク４４を介してサーバ４１に送信するだけで、ユーザＵａのログイン操作を介在することのないログイン（以下、自動ログインと称する）が可能になる。
【００８２】
具体的には、次回ログイン時にも、ユーザＵａは、パーソナルコンピュータ４２を操作して、オンラインメニュー５１の「シークレットサイトへ」と表示されたソフトウエアボタンを押下する。すると、パーソナルコンピュータ４２は、ステップＳ４１において、ネットワーク４４を介してサービス提供者Ｓａのサーバ４１にアクセスして、ディスク１１のＰＩＤデータをサーバ４１に提供する。
【００８３】
サーバ４１は、ステップＳ４２において、パーソナルコンピュータ４２からのＰＩＤデータをチェックし、ディスク１１を用いるユーザＵａの会員登録があると判定する。サーバ４１は、会員シークレットサイト５２のＵＲＬへのアクセスを許可する。これにより、パーソナルコンピュータ４２の表示部には、会員シークレットサイト５２が表示される。
【００８４】
このように、ディスク１１にはＰＩＤデータが記述されているので、２回目以降のサーバ４１へのログイン時には、パスワード入力等のユーザのログイン操作は不要となり、いわゆる自動ログインが実現される。もっとも、ユーザＵａの設定等によりパスワードロックをし、次回ログイン時にも改めてユーザＵａによるパスワード入力操作を必要とするための設定をすることも可能である。
【００８５】
即ち、ディスク１１に記録されているＰＩＤデータを物理ＩＤとして利用することにより、サーバ４１はＰＩＤデータを認証する。これにより、会員登録や会員ログインは、ディスクドライブを持つパーソナルコンピュータ４２からのアクセスで可能になる。
【００８６】
ここで、ディスク１１にＰＩＤデータは記録されているが、それに対応する個別ＱＲコード２１が印刷されていない場合であって、ユーザＵａとは異なり、携帯端末４３は保有しているがパーソナルコンピュータ４２を保有してないというユーザが存在した場合、そのユーザは、このビジネスモデルの利用は不可能である。しかしながら、本実施の形態では、ＰＩＤデータに対応する個別ＱＲコード２１がディスク１１のレーベル面に印刷されている。よって、ユーザＵａは、次のようにして、携帯端末４３を用いても、パーソナルコンピュータ４２を用いた場合と同様に、サービス提供者Ｓａからサービスを受けることができるようになる。
【００８７】
ユーザＵａにより操作される携帯端末４３は、会員登録および会員ログイン用のディスク１１のレーベル面に印刷された個別ＱＲコード２１の情報を取得して、その情報と、携帯端末４３自体の携帯端末ハードウエアＩＤを同時に、ネットワーク４４を介してサーバ４１に送信する。
【００８８】
サーバ４１は、ステップＳ４５において、携帯端末４３から送信されてきた個別ＱＲコード２１の情報を、ＰＩＤデータに変換する。そして、サーバ４１は、ステップＳ４２において、そのＰＩＤデータをチェックし、ディスク１１を用いるユーザＵａの会員登録があると判定する。
【００８９】
図９には図示はしないが、サーバ４１は、個別ＱＲコード２１に含まれるユニークなＩＤ情報と、携帯端末４３のユニークなハードウエアＩＤの２つから、ログイン用のリンクを生成し、携帯端末４３に送信する。
【００９０】
この場合、図９には図示はしないが、ユーザＵａは、サーバ４１から送信されたログイン用のリンクを携帯端末４３を操作してクリックすることにより、サーバ４１は、会員シークレットサイト５２のＵＲＬへのアクセスを許可する。これにより、パーソナルコンピュータ４２の表示部には、会員シークレットサイト５２が表示される。即ち、ユーザＵａにとっては、自動で会員サイト（ここでは会員シークレットサイト５２）にログインができ、すぐにサービスを受けることができる。
【００９１】
なお、仮に、ユーザＵａが登録されていなかった場合、すなわち、パーソナルコンピュータ４２により、ディスク１１に記録されたＰＩＤデータを使用した登録処理（図９のステップＳ４１乃至Ｓ４４の処理）がなされていなかった場合は、図９には図示はしないが、ユーザＵａは、会員登録サイトから新規登録を行うとする。即ち、ステップＳ４２の処理で未登録であると判定されると、サーバ４１は、ステップＳ４３の処理として、会員登録サイトへのアクセスを許可する。ユーザＵａは、携帯端末４３を操作して、この会員登録サイトから、登録に必要な個人情報等の入力を行う。サーバ４１は、登録データとして、携帯端末４３から送信された情報（ユーザＵａの個人情報のほかに、個別ＱＲコード２１に含まれるユニークなＩＤ情報や携帯端末４３のユニークなハードウエアＩＤ）を登録する。ステップＳ４４において、サーバ４１は、会員登録が完了したことの確認を、電子メールとしてネットワーク４４を介して携帯端末４３に送信する。即ち、次回ログイン用に、サーバ４１は、個別ＱＲコード２１に含まれるユニークなＩＤ情報と、携帯端末４３のユニークなハードウエアＩＤの２つから、ログイン用のリンクを生成し、電子メールにて携帯端末４３に送信する。そして、サーバ４１は、会員シークレットサイト５２のＵＲＬへのアクセスを許可する。これにより、携帯端末４３の表示部には、会員シークレットサイト５２が表示される。
【００９２】
さらにその後、ユーザＵａが、会員登録および会員ログイン用のディスク１１を用いて、パーソナルコンピュータ４２から会員ログインをした場合は、すでに個別ＱＲコード２１の情報は登録されているため、自動ログインが可能になる。
【００９３】
以上、図７乃至図９を参照して、ＱＲコードとＰＩＤを併用したビジネスモデルの一形態を説明した。
【００９４】
次に、図１０を参照して、ＱＲコードを使用したビジネスモデルの別の形態について説明する。ここで、「ＱＲコードとＰＩＤを併用した」と記述せずに、「ＱＲコードを使用した」と記述した理由は、ディスク１１に個別ＱＲコード２１が印刷されていれば足り、その個別ＱＲコード２１がＰＩＤと紐づいていることは必須ではないからである。
【００９５】
図１０は、ＱＲコードを使用したビジネスモデルを実現可能な情報処理システムの一構成例を示している。
【００９６】
図１０の例のビジネスモデルでは、サービス提供者Ｓｂと、ユーザＵｂとが存在する。なお、このビジネスモデルでは、サービス提供者Ｓｂ以外のサービス提供者や、ユーザＵｂ以外のユーザも登場し得る。
【００９７】
サービス提供者Ｓｂは、ＣＤ、ＤＶＤ、ＢＤ（Blue-ray Disc）等のディスクレンタルショップにおけるサービスを提供する。
【００９８】
サービス提供者Ｓｂは、かかるサービスを提供すべく、サーバ６１乃至管理レコード６４を管理する。即ち、ディスクレンタルショップにおいて、タイトル番号とその内容のデータベース６２、会員データベース６３および管理レコード６４が構築されており、それぞれサーバ６１を介して相互に接続されている。
【００９９】
ユーザＵｂは、据え置き型のパーソナルコンピュータ６５、携帯端末６６、およびＢＤプレーヤー６７を管理している。
【０１００】
サーバ６１と、パーソナルコンピュータ６５、携帯端末６６およびＢＤプレーヤー６７とは、図１０には図示はしないがインターネット等の所定のネットワークを介して相互に接続される。
【０１０１】
また、レンタル用ディスク１１の製造時には、製造者は、ディスクタイトル番号やシリアル番号を含むＱＲデータを作成し、それに対応する個別ＱＲコード２１をレンタル用ディスク１１に印刷した上で、出荷するとする。より正確には、例えば、図６のＱＲコード印刷処理のうち、ステップＳ２１とＳ２２の処理の代わりに、ディスクタイトル番号やシリアル番号を含むＱＲデータを作成し、それに対応する個別ＱＲコード２１と、そのテキストデータ２２からなる印刷データを作成する、といった処理が実行される。その後、ステップＳ２３乃至Ｓ２６の処理が実行され、印刷データ（それに対応する個別情報１２）が印刷されたレンタル用ディスク１１が製造される。このようにして製造されたレンタル用ディスク１１が出荷される。
【０１０２】
この場合、サービス提供者Ｓｂは、ディスク１１の貸出時に、個別ＱＲコード２１をバーコードリーダーによりスキャンし、各レンタル情報を、その個別ＱＲコード２１を主キーとしたレコードにて、管理レコード６４において管理する。ここで、各レンタル情報とは、タイトル番号、ディスク１１の記録内容、会員データ、利用期間および料金などの情報を指す。
【０１０３】
ユーザＵｂである会員が、利用レンタル期間の確認もしくは延長を行いたい場合は、携帯端末６６を使用して、ディスク１１に印刷された個別ＱＲコード２１より、ディスクレンタルショップのサーバ６１にアクセスして直接利用レンタル期間の確認もしくは延長を行うことができる。
【０１０４】
このとき、セキュリティ面でユーザＵｂを特定するためには、ユーザ登録時に携帯端末６６のハードウエアＩＤも同時に登録すればよい。このような登録は、図７乃至図９の例のビジネスモデルにおける登録として説明済みであるので、ここではその説明については省略する。
【０１０５】
即ち、サーバ６１は、ユーザＵｂが利用レンタル期間の確認もしくは延長を行う際に、管理レコード６４に記録されている各レンタル情報やユーザ登録時に登録した携帯端末６６のハードウエアＩＤを用いて、ユーザ認証を行うことで、ユーザのなりすまし等を防ぐことができる。
【０１０６】
なお、ディスク１１がＣＤやＤＶＤの場合であって、個別ＱＲコード２１に対応するＰＩＤデータがディスク１１に記録されている場合、パーソナルコンピュータ６５は、ディスク１１からＰＩＤデータを読み出して、このＰＩＤデータを用いて、ディスクレンタルショップのサーバ６１にアクセスして直接利用レンタル期間の確認もしくは延長を行うこともできる。
【０１０７】
また、例えば、ディスク１１がＢＤの場合、ディスク１１のユニークなＩＤとしてディスク１１に追記可能なＩＤ情報は、ＢＣＡ（Burst Cutting Area）に記録可能である。そして、このＢＣＡに記録されたＩＤ情報と、個別ＱＲコード２１とを対応付けることができる。即ち、上述した図５や図６において、「ＰＩＤデータ」の代わりに、この「ＢＣＡに記録されたＩＤ情報」を代入することで、ディスク製造処理が実行可能である。その結果、ＢＣＡに記録されたＩＤ情報と対応付けられた個別ＱＲコード２１がレーベル面に印刷されたディスク１１を容易に製造することができる。
【０１０８】
このように、ディスク１１がＢＤの場合であって、個別ＱＲコード２１に対応する「ＢＣＡに記録されたＩＤ情報」がディスク１１に記録されている場合、パーソナルコンピュータ６５は、ディスク１１から「ＢＣＡに記録されたＩＤ情報」を読み出して、この「ＢＣＡに記録されたＩＤ情報」を用いて、ディスクレンタルショップのサーバ６１にアクセスして直接利用レンタル期間の確認もしくは延長を行うこともできる。
【０１０９】
以上、説明したように、ディスクレンタルの際に、一枚一枚のディスク１１に対して個別ＱＲコード２１がレーベル面にそれぞれ印刷されている。これにより、ディスクレンタルショップのサービス提供者Ｓｂは、各ディスク１１のレンタル履歴や管理をバーコードリーダーや管理用のサーバ６１を用いて、簡単かつ正確に行うことができるようになる。
【０１１０】
以上説明したように、本発明を適用することで、ディスク一枚毎に個別のＱＲコードをディスクレーベル面に印刷することができる。これにより、次のような第１乃至第７の効果を奏することが可能になる。
【０１１１】
第１の効果とは、ディスク製造時に、ディスクタイトル番号、シリアル番号および製造年月日などをディスク一枚毎に施すことができるので、出荷後の管理が容易になる、という効果である。
【０１１２】
第２の効果とは、第１の効果に加えて、さらにディスクレンタルショップや販売店毎のグループコードを追加し、配送時にグループ毎の配送を行えば、グループ毎にディスクの管理をすることも可能になる、という効果である。
【０１１３】
第３の効果とは、レンタルショップ等では、ディスクを借りた側が何らかの理由で借用期間の延期等をしたい場合も、携帯端末やパーソナルコンピュータからＱＲコードでアクセスして、レンタル情報の更新、変更を容易に行うことが可能になる、という効果である。
【０１１４】
第４の効果とは、サービス提供側のサイトをＵＲＬ情報としてＱＲコードに含めることにより、ユーザがＱＲコードを利用してサーバにアクセスすると、ディスク毎のディスクＩＤをサーバに送信することができるので、個々のディスクの認証が可能となり、ユーザ毎に個別のサービスの提供が可能となる、という効果である。
【０１１５】
第５の効果とは、製品に同梱するディスクに適用すれば、携帯端末から個々のユニーク番号に基づいて、製品登録およびユーザ登録が可能となる、という効果である。
【０１１６】
第６の効果とは、ユーザが携帯端末にてサービス提供側のサーバに情報を送信する際、携帯端末自体のハードウエアＩＤを同時に送信することができるので、ユーザと個々のディスクを紐づけた個人認証のサービスの提供が可能となる、という効果である。
【０１１７】
第７の効果とは、万が一ディスクデータが破損した場合、ディスクレーベル面に印刷されたＱＲコードで購入証明および正規利用の証明ができるため、製造元、販売元および配布元からのサービスを受けることが可能となる、という効果である。
【０１１８】
以上、ディスク１１として、主にＣＤ、ＤＶＤ、ＢＤを想定して説明をしてきた。ただし、ディスク１１は、当然ＣＤ、ＤＶＤ、ＢＤに限定されない。
【０１１９】
この場合、ディスク１１のユニークなＩＤとしてディスク１１に追記可能なＩＤ情報は、ＰＩＤデータや、ＢＣＡに記録されたＩＤ情報に特に限定されず、任意のＩＤ情報を採用できることは言うまでもない。この場合も、任意のＩＤ情報と、個別ＱＲコード２１とを対応付けることができる。即ち、上述した図５や図６において、「ＰＩＤデータ」の代わりに、この「任意のＩＤ情報」を代入することで、ディスク製造処理が実行可能である。その結果、ＢＣＡに記録されたＩＤ情報と対応付けられた個別ＱＲコード２１がレーベル面に印刷されたディスク１１を容易に製造することができる。
【０１２０】
このように、本発明を適用することで、任意のＩＤ情報に紐づいた個別のＱＲコードをディスクレーベル面に印刷することができる。これにより、次のような第８乃至第１０の効果を奏することが可能になる。
【０１２１】
第８の効果とは、任意のＩＤ情報を使ったディスク認証と同等なサービスを、携帯端末からも同じ任意のＩＤ情報で実現することが可能であるため、携帯端末は保有しているが、パーソナルコンピュータを保有してないユーザにも同等なサービスの提供が可能となる、という効果である。
【０１２２】
第９の効果とは、任意のＩＤ情報毎に複数の配送先にグループ化する際、出荷時に個別のＱＲコードを利用して、種分け配送が可能となる、という効果である。
【０１２３】
第１０の効果とは、万が一ディスクデータが破損し任意のＩＤ情報が利用できない場合においても、ディスクレーベル面に印刷されたＱＲコードで購入証明および正規利用の証明ができるため、製造元、販売元および配布元からのサービスを受けることが可能となる、という効果である。
【０１２４】
また例えば、図６のＱＲコード印刷処理は、ＣＤ、ＤＶＤ、ＢＤで代表とされるプリレコードディスクだけでなく、記録用ディスクに対しても可能である。よって、個別ＱＲコード２１と、ディスク１１のＩＤとの対応付けが必須でない場合には、ディスク１１として、任意の記録用ディスクを採用することができる。
【０１２５】
ところで、上述した一連の処理は、ハードウエアにより実行させることもできるが、ソフトウエアにより実行させることができる。
【０１２６】
この場合、上述した情報処理システムの少なくとも一部として、例えば、図１１に示されるパーソナルコンピュータを採用してもよい。
【０１２７】
図１１において、CPU（Central Processing Unit）１０１は、ROM（Read Only Memory）１０２に記録されているプログラム、または記憶部１０８からRAM（Random Access Memory）１０３にロードされたプログラムに従って各種の処理を実行する。RAM１０３にはまた、CPU１０１が各種の処理を実行する上において必要なデータなども適宜記憶される。
【０１２８】
CPU１０１、ROM１０２、およびRAM１０３は、バス１０４を介して相互に接続されている。このバス１０４にはまた、入出力インタフェース１０５も接続されている。
【０１２９】
入出力インタフェース１０５には、キーボード、マウスなどよりなる入力部１０６、ディスプレイなどよりなる出力部１０７、ハードディスクなどより構成される記憶部１０８、および、モデム、ターミナルアダプタなどより構成される通信部１０９が接続されている。通信部１０９は、インターネットを含むネットワークを介して他の装置（図示せず）との間で行う通信を制御する。
【０１３０】
入出力インタフェース１０５にはまた、必要に応じてドライブ１１０が接続され、磁気ディスク、光ディスク、光磁気ディスク、或いは半導体メモリなどよりなるリムーバブルメディア１１１が適宜装着され、それらから読み出されたコンピュータプログラムが、必要に応じて記憶部１０８にインストールされる。
【０１３１】
一連の処理をソフトウエアにより実行させる場合には、そのソフトウエアを構成するプログラムが、専用のハードウエアに組み込まれているコンピュータ、または、各種のプログラムをインストールすることで、各種の機能を実行することが可能な、例えば汎用のパーソナルコンピュータなどに、ネットワークや記録媒体からインストールされる。
【０１３２】
このようなプログラムを含む記録媒体は、図１１に示されるように、装置本体とは別に、ユーザにプログラムを提供するために配布される、プログラムが記録されている磁気ディスク（フロッピディスクを含む）、光ディスク（CD-ROM(Compact Disk-Read Only Memory),DVD(Digital Versatile Disk)を含む）、光磁気ディスク（ＭＤ（Mini-Disk）を含む）、もしくは半導体メモリなどよりなるリムーバブルメディア（パッケージメディア）１１１により構成されるだけでなく、装置本体に予め組み込まれた状態でユーザに提供される、プログラムが記録されているROM１０２や、記憶部１０８に含まれるハードディスクなどで構成される。
【０１３３】
なお、本明細書において、記録媒体に記録されるプログラムを記述するステップは、その順序に沿って時系列的に行われる処理はもちろん、必ずしも時系列的に処理されなくとも、並列的あるいは個別に実行される処理をも含むものである。
【０１３４】
また、本明細書において、システムとは、複数の処理装置や処理部により構成される装置全体を表すものである。
【０１３５】
以上、本発明をまとめると、ディスク一枚毎のレーベル面にユニークなＱＲコード、即ち個別ＱＲコードを利用することにより、大量生産されたプリレコードディスクを個々のディスクとして区別することができる。これにより、個別ＱＲコードのみで、ディスクデータに個別ＩＤを施した（ＰＩＤデータが付記された）ＰＩＤディスクと同等なサービスを実現できるだけでなく、ＰＩＤと併用することにより、さらに多機能なサービスの展開が可能になる。
【０１３６】
また、本実施の形態では、個別ＱＲコードのみならず、それに対応するテキストデータもディスクのレーベル面に印刷されているので、機器等を用いて個別ＱＲコードを解読せずとも、テキストデータを視認するだけで、ディスクを他のディスクと明確に区別できるようになる。
【０１３７】
また、ユーザが携帯端末のカメラ機能のバーコード読み取りメニューを利用することにより、ディスクに印刷された個別ＱＲコードに含まれるデータから、直接インターネット等のネットワーク上のサービス提供者のサーバにアクセスが可能である。これにより、サービス提供者が供給できるサービスを、ディスクのＩＤと紐づけてユーザに提供することができる。
【０１３８】
また、上述したように、個別ＱＲコードは、ＣＤ、ＤＶＤ、ＢＤで代表とされるプリレコードディスクだけでなく、記録用ディスクに対しても可能である。
【０１３９】
さらに、個別ＱＲコードは、情報過密度が従来のバーコードに比べ１０倍乃至１００倍であるため、より多くのデータを印刷することができる。また、ディスクデータにアクセスすることなく一枚毎にユニークな情報を記録、読み取りができるので、流通管理面で有効である。
【図面の簡単な説明】
【０１４０】
【図１】本発明が適用されるディスクの外観の構成例を示す図である。
【図２】個別ＱＲコード２１と紐付いたＰＩＤデータのフォーマットの一例を示す図である。
【図３】印刷データの構成例を示す図である。
【図４】製造システムの一構成例を示す図である。
【図５】ディスク製造処理の一例を説明するフローチャートである。
【図６】ＱＲコード印刷処理の一例を説明するフローチャートである。
【図７】ＱＲコードとＰＩＤを併用したビジネスモデルの一構成例を示す図である。
【図８】印刷データの一構成例を示す図である。
【図９】ＱＲコードとＰＩＤを併用したビジネスモデルの一構成例を示す図である。
【図１０】ＱＲコードを使用したビジネスモデルモデルの一構成例を示す図である。
【図１１】本発明が適用される情報処理装置のハードウエア構成例を示すブロック図である。
【符号の説明】
【０１４１】
１１  ディスク、１２  個別情報、２１  個別ＱＲコード、２２  テキストデータ、３１  ディスク製造装置、３２  ＰＩＤホストコンピュータ、３３  ＰＩＤ記録装置、３４  印刷用ホストコンピュータ、３５  印刷機、３６  ネットワーク、３７  ＰＩＤデータ、３８  ＱＲデータ、３９  印刷データ、５１  オンラインメニュー、６２  タイトル番号とその内容のデータベース、６３  会員データベース、６４  管理レコード
【図１】
2009289358.tif 000003
【図２】
2009289358.tif 000004
【図３】
2009289358.tif 000005
【図４】
2009289358.tif 000006
【図５】
2009289358.tif 000007
【図６】
2009289358.tif 000008
【図７】
2009289358.tif 000009
【図８】
2009289358.tif 000010
【図９】
2009289358.tif 000011
【図１０】
2009289358.tif 000012
【図１１】
2009289358.tif 000013